(57)【要約】【課題】各動力回転を同速倍力化する回転梃子機能の装置を提供する。【解決手段】動力ギヤ３と、対面並列の梃子複合ギヤ７との両外周に配置する分割ギヤ４の上部外周に圧接し、加圧カムローラー６は外郭１４の上部郭内に配設され、上記、梃子複合ギヤ７の空転回転部にはベアリング８を配し、クランク９の短軸部が挿入配置され、クランク９の長軸部には支点ギヤ１０が空転回で配置されている。クランク９の長軸部と短軸部のクランク段差間隔により、梃子複合ギヤ７の偏心梃子支点として間接配置する支点ギヤ１０の外歯と、梃子複合ギヤ７の内歯が噛合い、支点ギヤ１０の偏心点回転と連動し、梃子複合ギヤ７の中心円回転とが成立し、偏心点にある支点ギヤ１０を梃子支点軸として、梃子複合ギヤ７の梃子加圧部になるギヤ外周極点のみに、分割ギヤ４の圧接で動力ギヤ３の回転動力を集中伝達し梃子加圧点とし、対極の梃子複合ギヤ７の外周に梃子力点を発生させ、回転動力を同速倍力化する回転梃子機能が特徴の装置。【選択図】図２
2019124349.tif 000002
【特許請求の範囲】
【請求項１】
外郭（１４）に配設したメタル（２）に配置の動力シャフト（１）に、整列カバー（５）を外周側面に配置した動力ギヤ（３）が固設され、動力ギヤ（３）の外周と整列カバー（５）の内部に自由動に配置される分割ギヤ（４）の外周上部に圧接し配置した、加圧ローラー（６）は外郭（１４）の上部郭内に配設され、動力機能部は外郭（１４）内に全配置されており、
外郭（１５）の梃子機能部では、外歯仕様の梃子ギヤの外周端に内歯仕様のギヤを固設合体化した、梃子複合ギヤ（７）の空転回転部にベアリング（８）を配して、クランク（９）の短軸部を挿入配置し、クランク（９）の長軸部には支点ギヤ（１０）を挿入配置し、セットねじ（１１）で締結した支点ギヤ（１０）の外周中央シャフト部に、分割メタル（１２）を嵌め込み、外郭（１５）のメタル座に分割メタル（１２）を装着することで、梃子複合ギヤ（７）の偏心点に代替の梃子支点軸として配設することになり、配設した外郭（１５）に既設の振れ止めローラー（１３）が、既設の梃子複合ギヤ（７）の内歯外周に接触配置するので、梃子機能部は外郭（１５）内に全配置され、外郭（１４）と合体すれば、支点ギヤ（１０）の後部ギヤは、後方機能への伝達ギヤとして、外郭（１５）の外部に突出配置されており、本機能は支点ギヤ（１０）を梃子支点軸に利用し、梃子支点軸を中心にして、梃子複合ギヤ（７）の梃子加圧部である外周極点のみに、回転動力を集中し梃子加圧点とし、対極点の梃子複合ギヤ７外周に梃子力点を発生させ、同径ギヤ連動により動力ギヤ（３）の回転を同速倍力化する回転梃子機能を特徴とする装置。
【発明の詳細な説明】
【技術分野】
【０００１】  本発明は、各種の動力回転と同調回転する梃子ギヤ１個に、回転作用の梃子機能を集中配置し、梃子ギヤ外周の両対極に梃子加圧点と梃子力点を発生させる機能で、梃子力点に荷重が軽くなる梃子倍力を発生させる回転梃子機能で、各種の動力回転を梃子機能ギヤの回転順次に回転同速で倍力を発生させる装置に関する。
【背景技術】
【０００２】  従来の動力機または、倍力装置・機構などで、動力回転と同速で回転力を倍力化するか、荷重負荷を半減させる同速倍力装置に関する実施は見当たらず、変速装置倍力がある。（例えば特許文献１参照）。
【先行技術文献】
【特許文献】
【０００３】
【特許文献１】特開平９−５３６９１号  公報
【発明の概要】
【発明が解決しようとする課題】
【０００４】  動力回転を変速機能の作用で回転減速すれば、回転力に減速比率の倍力が発生するが回転数は減速する。変速作用で回転増速すれば、回転は増速するが回転力に増速比率の負荷が発生するので、無段変速機などの速度変化にも即応し、各回転速度に荷重負荷を発生させない機能により、回転伝達機構の省力化を達成する。【０００５】  本発明は、中心円で空転回転する梃子ギヤの偏心点に梃子支点を設け、偏心梃子支点を中心にして、梃子加圧部のギヤ外周極点に伝達動力を集中し梃子加圧すれば、対極点のギヤ外周に梃子力点が発生し荷重を軽くする、回転同速で倍力化する機能装置を目的とする。
【課題を解決するための手段】
【０００６】  本発明に係る同速倍力機能は、図３・図４において、外郭１４に配設するメタル２に配置の、動力回転の動力シャフト１に固設した、動力ギヤ３の側面に配置する、整列カバー５の内部空間と動力ギヤ３の外周全域に、扇形状に分割した分割ギヤ４の分割個体を自由動に配置させ、扇形状に配置した分割ギヤ４の分割個体の外周上部に圧接配置した、加圧ローラー６を、動力機能部の外郭１４の上部郭内に配設し、動力機能部は構成される。【０００７】  上記した、動力機能部に対して梃子機能部では、支点ギヤ１０の外周中央シャフト部に分割メタル１２を嵌め込み、中心回転より一方に偏る偏心点で、梃子機能回転の偏心梃子支点として、外郭１５の固定回転部に空転性で配設され、配設された支点ギヤ１０の内径部にはクランク９の長軸部を挿入配置し端末を締結する。そしてクランク９の短軸部にはベアリング８を配し、梃子複合ギヤ７の空転性回転部が挿入配置される。梃子複合ギヤ７の内ギヤ外周には、図２の振れ止めローラー１３が接して配置され、振れ止めローラー１３は外郭１５の郭内に配置され、梃子機能部は構成される。上記、梃子複合ギヤ７は外周端に内歯仕様の内ギヤを固設した複合ギヤで、梃子作用の天秤機能ギヤである。【０００８】  図２・図７の既に構成された動力機能部の外郭１４に、構成された梃子機能部の外郭１５を合体すれば、外郭１４に既設の分割ギヤ４の内歯と、外郭１５に既設の梃子複合ギヤ７が噛み合い、図７のように自ずと外郭１４に既設の動力ギヤ３に面して、梃子複合ギヤ７が並列するので、動力機能部と梃子機能部は一体化し構成されるが、支点ギヤ１０の後部ギヤは、後部伝達ギヤ１７との連結構成の必要上で、外郭１５の外部に突出配置される。【０００９】  前述した、クランク９の長軸部と短軸部の機能は、長軸部に配置の偏心梃子支点で空転する支点ギヤ１０の外歯と、クランク９の短軸部に配置の梃子複合ギヤ７の空転性で中心円回転する２個のギヤが噛み合い連動回転するよう、クランク段差で２個のギヤ回転位置を確定配置させている。空転性の中心円回転と、偏心位置で梃子支点として空転回転する２種の相違回転により、偏心軸支点回転と梃子天秤機能回転の２個回転部を可能にできる。【００１０】  前述した、各機能の連結順序と機能範囲を図７で説明する。外郭１５の固定回転部に配置された、梃子複合ギヤ７の偏心梃子支点である支点ギヤ１０の内径部に、クランク９の長軸部が配置され、クランク９の短軸部には、ベアリング８を配して、梃子複合ギヤ７が配置される。梃子複合ギヤ７は空転性で中心円回転する梃子天秤機能で自体は無力である。【００１１】  上記、図７梃子複合ギヤ７の空転回転部中心より一方に偏った偏心位置に、間接的に梃子複合ギヤ７の偏心梃子支点軸として配置する支点ギヤ１０の外歯と、空転性で中心円回転する梃子複合ギヤ７の内ギヤとが噛合い回転する、２種の回転位置と回転機能が相違する空転連動回転が可能なのは、図１・図２の無回転性のクランク９の長軸部と短軸部のクランク段差間隔で維持され、偏心梃子支点を中心軸に梃子機能の中心円回転が維持できる。【００１２】  また、梃子複合ギヤ７の空転回転性は、ギヤ外周全域を梃子天秤作用に必要な無力化する機能と、ま���梃子複合ギヤ７の偏心点に支点ギヤ１０を梃子支点として間接配置するのは、梃子複合ギヤ７の偏心点を梃子支点の中心にして、偏心梃子支点より遠心点最長の、梃子複合ギヤ７の梃子加圧部の外周極点のみに回転動力を集中加圧して伝達し、遠心点最小の対極のギヤ外周対極点に梃子力点を発生させる機能である。【００１３】  前述した課題解決手段による作用は、図１・図２動力回転の動力ギヤ３と、空転回転性の梃子複合ギヤ７の両外周に跨り配置の分割ギヤ４とが、加圧ローラー６域を回転通過中に、分割ギヤ４の扇形状個体ギヤ毎に両ギヤ外周に順次圧接し、動力回転する動力ギヤ３から、空転性で無力回転の梃子複合ギヤ７の偏心点に間接配置の支点ギヤ１０を梃子支点中心にして、中心より遠心点最長になる梃子複合ギヤ７の外周極点のみに集中して、動力回転が連続伝達され梃子加圧力とし、遠心点最小のギヤ対極点に梃子力点を発生させる。【００１４】  また、外周を無力化した梃子複合ギヤ７の偏心点に、梃子支点として間接配置した支点ギヤ１０を偏心梃子支点軸の中心点にして、梃子複合ギヤ７の梃子加圧部の外周極点に、動力ギヤ３により分割ギヤ４の扇形状の複数歯山毎に一括して回転させるのは、梃子回転機能では加圧側と力点側の回転比は同率であるので、力点側歯山１の比率に対し加圧側の対比率を上げる機能になり、偏心支点を梃子中心軸にした梃子機能の補助機能になるので、動力ギヤ３と同径回転の梃子複合ギヤ７との回転比率が同率で同速倍力を生産できる。【００１５】  上記の倍力発生の梃子力点は、梃子複合ギヤ７の外周対極点で発生するが、外周対極点とは梃子複合ギヤ７の内ギヤと、支点ギヤ１０とが噛合うギヤ接点が外周対極点である。偏心梃子支点軸と、梃子倍力の発生力点と、倍力伝達機能とを兼ねる支点ギヤ１０は小径ギヤで、大径ギヤの梃子複合ギヤ７と噛み合い高速になるが、倍力の後部伝達ギヤである図７の点線図１７ギヤが梃子複合ギヤ７と同径であれば、後部伝達回転は同速回転に戻る。【００１６】  上述した各連携機能を確立するには、図１・図２の分割ギヤ４の個体ギヤ毎には、回転連動性は無く、加圧ローラー６の通過域では、分割ギヤ４の個体ギヤ毎に扇形状の複数歯山で圧接作用を繰り返す。加圧ローラー６の圧接点では、分割ギヤ４の固体ギヤ毎に分割ギヤ４の扇形状の複数歯山で、梃子複合ギヤ７の外周に圧接し回転させるのは、空転性で固定支点軸の無い梃子複合ギヤ７が、回転梃子作用による荷重反発により、連動する動力ギヤ３の固定回転部の回転軌道から逸脱回避させずに、遠心点最長の梃子複合ギヤ７の外周極点のみに梃子加圧する囲い機能でもある。【００１７】  また、扇形状歯山毎の圧接機能は、無力回転の梃子複合ギヤ７の偏心点を梃子機能の中心支点軸として、遠心点最長の梃子複合ギヤ７の外周極点のみに梃子加圧するだけでなく、対極外周の梃子力点側のギヤ１歯山の回転運動量に対し、梃子加圧側のギヤ回転運動量は４歯山毎を同時に連続回転で繰り返し、対極の梃子力点側１歯山に対し両対極間の回転比同率で、回転梃子機能の加圧対比率は確実に上げられる。分割ギヤ４の扇形状歯山の歯数の個数単位により梃子比率は変動する。【００１８】  また、固定回転部で偏心梃子支点部を形成する支点ギヤ１���の外歯と、噛合い回転する梃子複合ギヤ７の内ギヤは、支点ギヤ１０と噛み合い回転軌道から逸脱できないが、梃子複合ギヤ７の内ギヤ外周には予防措置の振れ止めローラー１３が配置されている。これらの梃子回転機能により梃子複合ギヤ７の内ギヤと、支点ギヤ１０との噛合う接点が梃子力点となり、荷重負荷が軽くなる倍力が発生し、外郭１５の外部に突出する支点ギヤ１０の後方ギヤ部から、後方機能ギヤへ連続伝達される。【００１９】  本機能は図７の外郭形態と、各図による機能部位の各形態も説明開示のため形態化したもので、本機能は装置であり各動力機構に組入れ形態変容するのは当然であり、機能原理を優先しており、各形態の変更等は、機能原理に影響が無い限り文脈から外れることはない。
【発明の効果】
【００２０】  本発明においては、荷重負荷を回転梃子機能で倍力化し軽くする簡単な機能で、荷重負荷の軽減作用で回転動力機等と伝達機能形態を省力化できる効果と、消費される燃料・電力等の低減効果が期待できる。【００２１】  本機能では、動力回転と同速同径ギヤの組合せと、クランク１個体により倍力発生の主要機能を、回転中の梃子複合ギヤ７に各分担機能を集中し機能完結できるので、本機能の構成と倍力発生の省機能化は容易である。
【図面の簡単な説明】
【００２２】
【図１】  本発明に係る動力機能の外郭１４を点線図にして重なる部位の４箇所を破断し詳細開示した構成正面図である。
【図２】  図１におけるＡ−Ａ線断面図で断側面の詳細構成図である。
【図３】  外郭１４を点線図にした動力機能部の構成正面図である。
【図４】  図３におけるＢ−Ｂ線断面図である。
【図５】  外郭１５を点線図にした梃子機能部の構成正面図である。
【図６】  図５におけるＣ−Ｃ線断面図である。
【図７】  図４の動力機能部を外郭１４に配設し図６の梃子機能部は外郭１５に配設した両外郭を合体構成したものである。
【図８】  図１から図７における構成を立体化し補足するための分解図である。
【発明を実施するための形態】
【００２３】  図７は本発明に係る同速倍力装置の実施例を示す。外郭１４の固定回転部にメタル２が配置され、メタル２で動力回転する動力シャフト１に、動力ギヤ３を固設している。動力ギヤ３のギヤ外周と整列カバー５の内部空間に、扇形状分割の分割ギヤ４が個体ギヤ毎に自由動で配置されており、分割ギヤ４外周上部に圧接する加圧ローラー６は、加圧域を保持する位置で、外郭１４の上部郭内に配設されて、動力機能部は構成されている。
【００２４】  図７の梃子機能部では、支点ギヤ１０の外周中央シャフト部に分割メタル１２が嵌め込まれ、梃子機能の偏心点で梃子支点として、外郭１５の固定回転部に配設されている。そして支点ギヤ１０の内径部には、クランク９の長軸部が挿入配置されており、長軸部の外端末が締結されている。クランク９の短軸部にはベアリング８を配し、梃子複合ギヤ７の空転性回転部が配置されている。
【００２５】  空転性で中心円回転する梃子複合ギヤ７と、噛合い連動回転する支点ギヤ１０の偏心点回転との、回転性と回転位置が相違する２種のギヤ回転部を、１個のクランク９のクランク段差で確定配置し、クランク９の長軸部を支点ギヤ１０に配置して、クランク９の短軸部にはベアリング８を配し、梃子複合ギヤ７の空転性の中心円回転部が挿入配置されており、支点ギヤ１０の偏心点回転と、梃子複合ギヤ７の中心円回転との、相違する回転位置の連動回転により、梃子天秤作用の回転機能は形成され、梃子機能部は構成されている。
【００２６】  機能構成された動力機能部の外郭１４と、梃子機能部の外郭１５とを合体すれば、外郭１４に既設の分割ギヤ４の内歯と、外郭１５に既設の梃子複合ギヤ７とが噛み合わされ、梃子複合ギヤ７と、外郭１５に既設の動力ギヤ３とが対面並列するので、動力機能部と梃子機能部が一体化し、外郭１５の下部に既設の振れ止めローラー１３が、振れ予防措置として、梃子複合ギヤ７の内ギヤ外周に配置されており、全機能は合体構成されている。
【００２７】  上述した、図２・図７梃子複合ギヤ７の偏心梃子支点に間接配置された、支点ギヤ１０を偏心梃子支点の中心にして、梃子支点より遠心点最長の梃子複合ギヤ７の梃子加圧部の外周極点のみに、動力ギヤ３から回転動力を集中加圧して伝達し、遠心点最小対極の梃子複合ギヤ７外周対極点に梃子力点を発生させる。図７の外郭１５の外部に突出する支点ギヤ１０の後部ギヤと、外郭１５外の点線予想図にある本機能の主要ギヤと同径同速の、後部伝達ギヤ１７とが噛み合わされて、回転同速の倍力を後部機能、装置機構に伝達される。梃子回転機能では、梃子加圧側と梃子力点側との回転比率は同率で倍力が発生する。
【符号の説明】
【００２８】  １    動力シャフト
２    メタル
３    動力ギヤ
４    分割ギヤ
５    整列カバー
６    加圧ローラー
７    梃子複合ギヤ７
８    ベアリング
９    クランク
１０    支点ギヤ
１１    セットねじ
１２    分割メタル
１３    振れ止めローラー
１４    外郭
１５    外郭
１６    動力機の予想図
１７    後部機能の伝達内ギヤの予想図
【図１】
2019124349.tif 000003
【図２】
2019124349.tif 000004
【図３】
2019124349.tif 000005
【図４】
2019124349.tif 000006
【図５】
2019124349.tif 000007
【図６】
2019124349.tif 000008
【図７】
2019124349.tif 000009
【図８】
2019124349.tif 000010